(57)【要約】【課題】  石膏ボードなどの支持力が弱い板材に対しても、打ち込み後の固着力を安定的に維持できるようにする。【解決手段】  本発明は、先端に鋭利な打ち込み部３を有する軸部２と、軸部２の基端側に設けられた頭部４とを備えたピン釘１に関する。軸部２の外周面には、鋭利な先端が軸部２の基端側に向いた状態で当該軸部２の軸心に対して傾斜した抜け止め片５が形成され、この抜け止め片５は軸部２の径方向に弾性変形可能である。【選択図】図２
2014122696.tif 000002
【特許請求の範囲】
【請求項１】
先端に鋭利な打ち込み部を有する軸部と、前記軸部の基端側に設けられた頭部とを備えたピン釘であって、
前記軸部の外周面に、鋭利な先端が前記軸部の基端側に向いた状態で当該軸部の軸心に対して傾斜した抜け止め片が形成されていることを特徴とするピン釘。
【請求項２】
前記抜け止め片は、前記軸部の径方向に弾性変形可能である請求項１に記載のピン釘。
【請求項３】
前記抜け止め片は、前記軸部の同じ軸方向位置において周方向に放射状をなすように配置されている請求項１又は２に記載のピン釘。
【請求項４】
前記抜け止め片は、前記軸部の複数の軸方向位置でかつ当該軸部の周方向の同じ位置に一列に並んで配置されている請求項１又は２に記載のピン釘。
【請求項５】
前記抜け止め片は、前記軸部を石膏ボードなどの板材に貫通させた場合に、当該板材の裏面とほぼ一致する軸方向位置に配置されている請求項１〜４のいずれか１項に記載のピン釘。
【請求項６】
前記抜け止め片は、石膏ボードなどの板材の厚さ範囲内に含まれる前記軸部の複数の箇所に配置されている請求項１〜５のいずれか１項に記載のピン釘。
【請求項７】
石膏ボードなどの板材の法線方向に対して傾斜した方向に打ち込まれる請求項１〜６のいずれか１項に記載のピン釘。
【請求項８】
前記軸部の軸方向中途部に屈曲部が形成され、基端部から屈曲部までの範囲と屈曲部から先端部までの範囲との双方に前記抜け止め片が配置されている請求項１〜７のいずれか１項に記載のピン釘。
【発明の詳細な説明】
【技術分野】
【０００１】  本発明は、石膏ボードなどの板材に被取付体を固着するのに用いるピン釘に関する。より具体的には、板材に対する抜け止め効果を高めるためのピン釘の構造に関する。
【背景技術】
【０００２】  従来、抜け止め用の突起を軸部に形成したピン釘として、例えば特許文献１に記載されたものが知られている。
この特許文献１には、軸部の外周面に、水平に突出する側面円弧状の突起が所定間隔で複数設けられたピン釘が記載されている（特許文献１の図８参照：以下、「従来例１」という。）。【０００３】  また、特許文献１には、軸部の外周面に設けた突起が、軸部の外周面を半周以内で周回し、その周回方向が水平に対して一方に傾斜したピン釘も記載されている（特許文献１の図１及び図４参照：以下、「従来例２」という。）
【先行技術文献】
【特許文献】
【０００４】
【特許文献１】  実開平６−４４１３号公報
【発明の概要】
【発明が解決しようとする課題】
【０００５】  上記従来例１及び２のピン釘は、いずれも、軸部の外周面から突出する抜け止め用の突起が変形不能であるから、打ち込みの際に板材の釘穴を突起が一様に押し広げることになり、打ち込み後の釘の固着力が却って悪くなるという欠点がある。
特に、板材の材質が石膏ボードなどの脆い材料である場合には、上記の欠点はより顕著であり、突起を設けたことが却ってピン釘の固着力を弱める結果となる。【０００６】  そこで、本発明は、石膏ボードなどの支持力が弱い板材に対しても、打ち込み後の固着力を安定的に維持できるピン釘を提供することを目的とする。
【課題を解決するための手段】
【０００７】  本発明のピン釘は、先端に鋭利な打ち込み部を有する軸部と、前記軸部の基端側に設けられた頭部とを備えたピン釘であって、前記軸部の外周面に、鋭利な先端が前記軸部の基端側に向いた状態で当該軸部の軸心に対して傾斜した抜け止め片が形成されていることを特徴とする。【０００８】  本発明のピン釘によれば、軸部の外周面に形成された抜け止め片が、鋭利な先端が軸部の基端側に向いた状態で当該軸部の軸心に対して傾斜しているので、打ち込み後のピン釘が抜け方向に移動しようとすると、抜け止め片の鋭利な先端が板材に突き刺さって抜け止め効果を発揮する。【０００９】  また、抜け止め片が上記の形状に形成されているので、水平に突出する側面円弧状の突起（従来例１）や、軸部の外周面を半周以内で周回しその周回方向が水平に対して一方に傾斜した突起（従来例２）の場合に比べて、ピン釘を打ち込んだ際に抜け止め片が釘穴を押し広げる範囲が少ない。
このため、石膏ボードなどの支持力が弱い板材に対しても、打ち込み後の固着力を安定的に維持することができる。【００１０】  本発明のピン釘において、前記抜け止め片は、前記軸部の径方向に弾性変形可能であることが好ましい。この場合、本発明のピン釘によれば、鋭利な先端が軸部の基端側に向いた状態で軸部の軸心に対して傾斜した抜け止め片が、軸部の径方向に弾性変形可能であるから、ピン釘を打ち込んだ際に抜け止め片が釘穴を押し広げることがなく、打ち込み後のピン釘が抜け方向に移動しようとすると、抜け止め片の鋭利な先端が板材に突き刺さって抜け止め効果を発揮する。
このため、石膏ボードなどの支持力が弱い板材に対しても、打ち込み後の固着力を安定的に維持することができる。【００１１】  本発明のピン釘において、前記抜け止め片は、周方向に１つだけ形成されていてもよいが、前記軸部の同じ軸方向位置において周方向に放射状をなすように配置されていることが好ましい。
かかる配置にすれば、抜け止め片が周方向に１つだけである場合に比べて、石膏ボードなどの板材に対する抜け止め効果をより向上させることができる。【００１２】  本発明のピン釘において、前記抜け止め片は、前記軸部の複数の軸方向位置でかつ当該軸部の周方向の同じ位置に一列に並んで配置されていてもよい。
かかる配置にすれば、抜け止め片を軸部に形成する工程（例えば、軸部に斜めに切り込みを入れて切り起こす工程）を周方向の一方側だけから行えば足りるので、抜け止め片を周方向の複数位置に形成する場合に比べて、ピン釘を容易に製作することができる。【００１３】  本発明のピン釘において、前記抜け止め片は、前記軸部を石膏ボードなどの板材に貫通させた場合に、当該板材の裏面とほぼ一致する軸方向位置に配置されていることが好ましい。
かかる配置にすれば、ピン釘を打ち込んだ場合に、石膏ボードなどの板材を貫通した抜け止め片の先端がその板材の裏面に丁度引っ掛かり、ピン釘の抜け止め効果をより向上させることができる。【００１４】  本発明のピン釘において、前記ぬけ止め片は、石膏ボードなどの板材の厚さ範囲内に含まれる前記軸部の複数の箇所に配置されていることが好ましい。
かかる配置にすれば、抜け止め片が上記範囲に含まれる軸部の部分に１箇所だけ配置されている場合に比べて、石膏ボードなどの板材に対する抜け止め効果をより向上させることができる。【００１５】  本発明のピン釘は、石膏ボードなどの板材の法線方向に対して傾斜した方向に打ち込まれることが好ましい。
かかる方向にピン釘を打ち込むことにすれば、板材の法線方向に打ち込む場合に比べて、板材に貫通した軸部の周囲と釘穴との接触面積が大きくなり、石膏ボードなどの板材に対する抜け止め効果を向上させることができる。【００１６】  本発明のピン釘において、前記軸部の軸方向中途部に屈曲部が形成され、基端部から屈曲部までの範囲（第１範囲）と屈曲部から先端部までの範囲（第２範囲）との双方に前記抜け止め片が配置されていることが好ましい。
かかる配置にすれば、ピン釘を板材に打ち込んだ場合に、第１範囲の抜け止め片が板材に突き刺さる方向と、第２範囲の抜け止め片が板材に突き刺さる方向がずれるので、軸部が屈曲していない場合に比べて、石膏ボードなどの板材に対する抜け止め効果を向上させることができる。
【発明の効果】
【００１７】  以上の通り、本発明のピン釘によれば、石膏ボードなどの支持力が弱い板材に対しても、打ち込み後の固着力を安定的に維持することができる。
【図面の簡単な説明】
【００１８】
【図１】  本発明の実施形態に係るピン釘の側面図である。
【図２】  抜け止め片の詳細構造を示すための軸部の拡大側面図である。
【図３】  ピン釘の使用状態の一例を示す側面断面図である。
【図４】  ピン釘の変形例を示す斜視図である。
【図５】  ピン釘の別の変形例を示す使用状態の側面断面図である。
【発明を実施するための形態】
【００１９】  以下、図面を参照しつつ、本発明の実施形態を説明する。
図１は、本発明の実施形態に係るピン釘１の側面図である。
このピン釘１は、軸部２の先端（図示右側の先端）に鋭利な打ち込み部３が形成され、その軸部２の基端側（図示左側）に頭部４を一体に有している。
【００２０】  図１に示すように、軸部２の外周面には、抜け止め片５が形成されている。
図１（ａ）の例では、抜け止め片５が軸部２における軸方向１箇所に配置され、図１（ｂ）の例では、抜け止め片５が軸部２における軸方向２箇所に配置され、図１（ｃ）の例では、抜け止め片５が軸部２における軸方向３箇所に配置されている。
なお、図１（ａ）〜図１（ｃ）のいずれの場合も、軸方向の各々箇所には、左右一対の抜け止め片５が、周方向に１８０度の間隔をおいた放射状に配置されている。
【００２１】  図２は、抜け止め片５の詳細構造を示すための軸部２の拡大側面図である。
なお、図２（ａ）は、切り込み６が見える周方向角度からの側面図であり、図２（ｂ）は、図２（ａ）から軸部２を周方向に９０回転させた場合の側面図である。
図２に示すように、本実施形態の抜け止め片５は、鋭利な先端が軸部２の基端側（図示左側）に向いた状態で、当該軸部２の軸心に対して傾斜しており、言わば魚の鰓状を呈する形状に形成されている。
【００２２】  かかる鰓状の抜け止め片５は、例えば、軸部２の外周面に対して、その基端側から先端側に向かって鋭利な刃物で斜めの切り込み６を入れて、抜け止め片５を切り起こす工程（以下、「切り起こし工程」という。）を実施することによって形成できる。
本実施形態の抜け止め片５は、上記切り込み６によって非常に薄肉に形成されていることから、軸部２の周方向に対して弾性変形可能となっている。
【００２３】  図２に示す実施例において、軸部２の直径Ｄは例えば１．０ｍｍであり、抜け止め片５の軸方向長さＬは例えば１．０ｍｍである。
また、抜け止め片５の径方向突出量Ｔは０．２ｍｍであり、切り込み６の径方向深さＦは０．２ｍｍである。
【００２４】  上記の各寸法は一例であり、その値に限定されるものではないが、各寸法の好ましい数値範囲を列記すると、次の通りである。
０．９ｍｍ≦Ｄ≦１．２ｍｍ
０．９ｍｍ≦Ｌ≦１．２ｍｍ
０．１５ｍｍ≦Ｔ≦０．２５ｍｍ
０．１５ｍｍ≦Ｆ≦０．２５ｍｍ
【００２５】  図３は、本実施形態のピン釘１の使用状態の一例を示す側面断面図である。
図３に示す例では、石膏ボードよりなる板材１０の外壁の表面側（図示左側）に被取付体１１が当接されている。そして、被取付体１１の挿通孔１１Ａにピン釘１を挿通して、ピン釘１を板材１０に打ち込むことにより、被取付体１１が板材１０の表面に固定されている。
【００２６】  図３に示すように、被取付体１１の挿通孔１１Ａは、その取付背面に対して非直角で傾斜している。このため、挿通孔１１Ａにガイドされるピン釘１は、板材１０の法線方向に対して傾斜した方向となるように、板材１０に対して斜めに打ち込まれる。
そして、ピン釘１の軸方向３箇所に設けられた抜け止め片５のうち、最も先端側に位置する抜け止め片５は、軸部２を板材１０に貫通した場合に、当該板材１０の裏面とほぼ一致する軸方向位置に来るように配置されている。
【００２７】  また、軸方向３箇所の抜け止め片５の軸方向間隔は板材１０の板厚よりも小さく、最も先端側以外の残りの２箇所の抜け止め片５は、板材１０の厚さ範囲内に収まるように配置されている。
【００２８】  本実施形態のピン釘１によれば、鋭利な先端が軸部２の基端側に向いた状態で軸部２の軸心に対して傾斜した抜け止め片５を有する。従って、ピン釘１を打ち込んだ際に、打ち込み後のピン釘１が抜け方向に移動しようとすると、抜け止め片５の鋭利な先端が板材１０に突き刺さって抜け止め効果を発揮する。
また、抜け止め片５が軸部２の径方向に弾性変形可能であるから、打ち込みの際に抜け止め片５が板材１０の内部で釘穴を押し広げることがなく、石膏ボードなどの支持力が弱い板材１０に対しても、打ち込み後の固着力を安定的に維持できる。
【００２９】  図４は、ピン釘１の変形例を示す斜視図である。
この変形例に係るピン釘１では、抜け止め片５が、軸部２の複数の軸方向位置（図例では３箇所）に配置されており、それらの抜け止め片５が、軸部２の周方向の同じ位置に一列に並んで配置されている。
図４の変形例によれば、抜け止め片５の切り起こし工程を周方向の一方側だけから行えば足りる。このため、抜け止め片５を周方向の複数位置に形成する図１〜図３の実施形態の場合に比べて、ピン釘１を容易に製作できるという利点がある。
【００３０】  図５は、ピン釘１の別の変形例を示す使用状態の側面断面図である。
この変形例に係るピン釘１では、軸部２が、軸方向中途部でほぼ「へ」の字状に屈曲している。そして、軸部２の基端部から屈曲部２Ａまでの第１範囲と、屈曲部２Ａから先端部までの第２範囲との双方に、抜け止め片５が配置されている。
図５の変形例によれば、ピン釘１を板材１０に打ち込んだ場合に、第１範囲の抜け止め片が板材１０に突き刺さる方向と、第２範囲の抜け止め片５が板材１０に突き刺さる方向が、屈曲部２Ａが屈曲している分だけずれる。
【００３１】  このため、軸部２が屈曲していない場合に比べて、軸部２自体が板材１０から抜け難くなるとともに、真っ直ぐな軸部２の軸方向の複数箇所に設けた各抜け止め片５が板材１０の内部で突き刺さる方向が同じである場合に比べて、石膏ボードなどの板材に対する抜け止め効果を向上させることができる。
【００３２】  なお、本発明は上記実施形態に限定されるものではない。
例えば、上記実施形態では、左右一対の抜け止め片５が、軸部２の同じ軸方向位置において周方向に１８０度で放射状をなすように配置されているが、１つの軸方向位置に抜け止め片５を１つだけ設けることにしてもよいし、３つ以上設けることにしてもよい。
【符号の説明】
【００３３】  １：ピン釘    ２：軸部    ３：打ち込み部    ４：頭部    ５：抜け止め片
６：切り込み    １０：板材    １１：被取付体    １１Ａ：挿通孔
【図１】
2014122696.tif 000003
【図２】
2014122696.tif 000004
【図３】
2014122696.tif 000005
【図４】
2014122696.tif 000006
【図５】
2014122696.tif 000007